(57)【要約】【課題】建物における構造材の結合、緊結に用いられている接合金物の状態を簡単に点検することができる点検口を備えた建物の提供とこのような点検口として適切な点検口装置の提供。【解決手段】建物の内壁に構造材の接合箇所を緊結する接合金物を点検できる点検口１８を設ける。点検口１８は接合金物を直視でき、また、工具を差し込んで接合金の緩みなどを修復できる大きさと配置にする。点検口１８にはベース部材２１と化粧蓋２２で構成される点検口装置２０を取り付ける。これに化粧蓋２２を係合して点検口１８を塞ぐ。ベース部材２１はフレーム部２３と挟持部２４，２５を備えた一体の樹脂成形品であり、挟持部２４，２５で内壁材の点検口辺縁を挟みつけて取り付ける。【選択図】図６
2010168732.tif 000002
【特許請求の範囲】
【請求項１】
内壁に接合金物点検口を備えていることを特徴とした建物。
【請求項２】
建物が木造であり、接合金物が柱脚と基礎あるいは柱と横架材とを緊結するためのナットとねじを有する引寄せ金物であって、点検口が引寄せ金物のナットによる締結部分を直視できる位置に配置してあることを特徴とした請求項１に記載の建物。
【請求項３】
点検口が引寄せ金物のナットによる締結部分に近接して配置され、工具を差し入れて前記のナットを増す締めできる大きさであることを特徴とした請求項２に記載の建物。
【請求項４】
点検口にはこれを隠蔽する化粧蓋が室内側から着脱可能に装着されていることを特徴とした請求項１〜３のいずれかひとつに記載の建物。
【請求項５】
建物の壁に設けた点検口に取り付ける点検口装置であって、ベース部材とこれに係合させて取り付ける化粧蓋を備え、ベース部材は一体の樹脂成形品であって、点検口の周囲に取り付けるフレーム部とフレーム部の対向した内周辺から対向して突出させた２枚の面状をした取り付け片とを有し、取り付け片とフレーム部との間及び取り付け片の中間に前記の内周辺と平行にそれぞれ折り溝が形成されており、取り付け片をフレーム部の面と直交する方向に折り曲げた後、フレーム部の面と平行に外周方向折り曲げて水平部と平行部とし、水平部と平行部及びフレーム部とで内壁材の挟持部を形成し、フレーム部から挟持部の平行部にねじ込むねじにより平行部をフレーム側に引寄せる構造としてあることを特徴とした点検口装置。
【請求項６】
フレーム部には、挟持部の平行部を引寄せるねじ用のねじ孔の他に、下地材へ直接ねじ込むねじ用のねじ孔が予備的に形成されていることを特徴とした請求項５に記載の点検口装置。
【請求項７】
挟持部の平行部は、フレーム部との対向面に内壁材表面と接触する滑り止め突起が形成されていることを特徴とした請求項５又は６に記載の点検口装置。
【発明の詳細な説明】
【技術分野】
【０００１】
この発明は、建物における構造材の結合、緊結に用いられている接合金物の状態を簡単に点検することができる点検口を備えた建物に関する。
【背景技術】
【０００２】
建物は種々目的の点検口を備え、その多くは蓋を備えて点検口を目立たないように化粧している。
特許文献１の壁点検口は、壁の内部に設けられた配線や配管などを保守点検するためのもので蓋体を備え、蓋体の取り付けをビスによる構造からバネ部材による係合構造に変えて、蓋体の脱着を容易にした構造のものである。
特許文献２の点検口は浴槽横に設けてカランへの配管部材を点検できるようにしたものであり、点検口蓋の裏面に内部の配管へ着脱自在な嵌合部材を設けて、点検口蓋の取り付け・取外しをワンタッチで行えるようにしたものである。
【０００３】
特許文献３は、建物における免震装置に点検口を設けた構造を開示しており、特許文献４では、バルコニーなどと建物との取り付け箇所におけるボルトの状態を点検するための点検口を設けている。
また、点検口ではないが、特許文献５のコンセントボックスカバーでは、内壁材に開孔を形成し、その周囲にビス止めした取り付け枠にカバー本体や化粧カバーを取り付けている。内壁材に開孔を形成し、これに取り付け枠をビス止めし、化粧カバー（化粧蓋）を係合により取り付ける構成は公知といえる。
【先行技術文献】
【特許文献】
【０００４】
【特許文献１】特開２００５−２００８２５号公報
【特許文献２】特開２００７−１８６９３１号公報
【特許文献３】特開２００６−２０７３６５号公報
【特許文献４】特開平１１−４３９８９号公報
【特許文献５】特開平７−２８８９１３号公報
【発明の概要】
【発明が解決しようとする課題】
【０００５】
建物における点検口は、上記のように従来技術として種々な目的のものが存在する。しかし、建物における構造材の結合、緊結に用いられている接合金物の状態を簡単に点検するためのものはない。特許文献３，４が開示するものは、建物における構造材の接合箇所に関するものではあるが、その点検は簡単ではない。
【０００６】
一方、神戸・淡路大震災以後、建物、特に木造住宅においては地震対策が進み、多くの建物において構造材の接合箇所に引寄せ金物など、多種の接合金物が使用されているが、寒暖の差による膨張・収縮の繰り返しや日常の振動、木やせなどでねじや釘が浮き上がったり、ナットが緩んだりする恐れがある。これとあいまって、木造住宅では耐久性の飛躍的な向上と施主の住宅に関する知識や地震などの災害対策に関する意識の向上があって、建物提供側としてはこの面においても施主を満足させる必要がある。
【０００７】
このために、木造住宅では、新築後１年、３年、５年ごとなど、定期的な点検を行うサービスを提供するところもある。この種の点検は、住宅の耐久、地震対策上からもサービスに頼らずに自発的に行うべきものである。しかし、地震対策では、これまで、居住者が手軽に点検を行えるような対策はなされておらず、いざ、点検となると内壁材を取り除く必要があって、簡単にできることではなかった。
【０００８】
そこで、この発明は、建物における構造材の結合、緊結に用いられている接合金物の状態を簡単に点検することができる点検口を備えた建物の提供とこのような点検口として適切な点検口装置の提供を課題とする。
【課題を解決するための手段】
【０００９】
建物の内壁に接合金物を点検できる点検口を設ける。
接合金物が柱脚と基礎あるいは柱と横架材とを緊結するためのナットとねじを有する引寄せ金物である場合（多くは木造住宅）、内壁に設ける点検口を引寄せ金物のナットによる締結部分を直視できる位置とする。
点検口を引寄せ金物のナットによる締結部分に近接して配置し、点検口から工具を差し入れてナットを増す締めできる大きさとすることがある。
【００１０】
点検口にはこれを隠蔽する化粧蓋を室内側から着脱可能とする。
点検口に取り付ける点検口装置をベース部材とこれに係合させて取り付ける化粧蓋で構成する。ベース部材は一体の樹脂成形品であり、点検口の周囲に取り付けるフレーム部とフレーム部の対向した内周辺から対向して突出させた２枚の面状をした取り付け片とを有する。取り付け片とフレーム部との間及び取り付け片の中間には、フレーム部の内周辺と平行にそれぞれ折り溝が形成される。
【００１１】
折り溝を利用して、取り付け片をフレーム部の面と直交する方向に折り曲げた後、フレーム部の面と平行に外周方向に折り曲げる。すると、取り付け片により水平部と平行部が形成され、これとフレーム部とで外周方向に開口した断面コ字形の挟持部が形成される。挟持部は内壁材を挟持できる部分であり、フレーム部から挟持部の平行部にねじをねじ込むことにより、平行部をフレーム側に引寄せ、内壁材を挟み付けることができる。その結果、ベース部材が内壁材へ取り付けられる。
【発明の効果】
【００１２】
建物の内壁に接合金物を点検できる点検口を設けたことにより、建物に施した地震対策を初期の目標に維持できる。
建物の状況を説明しやすく、居住者に安心を与える。
大きな地震の後など、適時に、かつ、簡単に点検を行える。
【図面の簡単な説明】
【００１３】
【図１】壁部分の正面図（透視）。
【図２】壁部分の要部を拡大して示す正面図。
【図３】壁部分の正面図。
【図４】図３の要部を拡大して示す正面図。
【図５】点検口箇所の縦断面図。
【図６】点検口装置を分解して示す斜視図。
【図７】成形されたベース部材の斜視図（裏面）。
【図８】成形されたベース部材の斜視図（室内側面）。
【発明を実施するための形態】
【００１４】
図１は、木造住宅における壁部分であって、基礎１の天端に土台２が載置され、アンカーボルト３で固定されている。土台２（構造材）上に左右の柱４，５がほぞ嵌合で立設され、柱４，５の上端に梁６（構造材）がほぞ嵌合で架設されている。符号７は筋交いであり、左柱４の柱脚部と右柱５の柱頭部を結合している。左右柱４，５の柱脚はホールダウン金物（引寄せ金物）８，９で基礎１と直接に緊結されている。また、左右柱４，５の柱頭と梁６はこの例において、角金物１０，１１で結合されている。符号１２は床、符号１３は天井であり、床と天井間にこの例において石膏ボード１４（内壁材）が大壁方式で張り付けられている。同様な壁が左右に連続する。なお、石膏ボード１４にハッチングを施し、また、壁の内部を透視して示している。
【００１５】
図２は、左柱４の柱脚部を示し、ホールダウン金物８が見えている。ホールダウン金物８は、柱４に固定した柱側部材１５に引寄せボルト１６を貫通させて下端をあらかじめ基礎１に固定してあるアンカーボルト３と長ナットなどで結合させてある。引寄せボルト１６の上端部にナット１７を螺合して柱側部材１５に係合させてある。すなわち、柱４の柱脚を基礎１へ直接に結合すると同時に、ナット１７を締め付けることにより、柱脚と土台２とを引寄せて緊結している。この構造は、地震力で柱脚が土台２が引き抜かれてしまうのを防止する地震対策の一つである。
ナット１７は、この例において、床から約３７５ｍｍの高さである。
右柱５の柱脚部におけるホールダウン金物９も、配置が対称であるが、同様である。
【００１６】
石膏ボード１４には、前記ホールダウン金物８，９におけるナット１７による締結箇所を直視できる箇所に点検口１８，１９を形成する。
点検口１８は、この例において、縦６５ｍｍ、横８５ｍｍの長方形でその対角線の交点が床１２からの高さが３７５ｍｍとなる位置に形成されている。したがって、この点検口１８によれば左ホールダウン金物８のナット１７による締結箇所を直視することができ、また、ホールダウン金物８に近接して形成されているので、この窓からラチェットレンチを差し入れてナット１７に到達させ、必要に応じてナット１７を増す締めすることができる。右の点検口１９についても同様である。
【００１７】
点検口１８には、点検口装置２０を取り付ける（図５，６）。点検口装置２０は、ベース部材２１と化粧蓋２２で構成される。
ベース部材２１は一体の樹脂成形品（実施例は、ＡＢＳ樹脂）であって、点検口１８の周囲に取り付けるフレーム部２３と挟持部２４，２５を備える。挟持部２４，２５は、フレーム部２３の対向した内周辺（この例において上下の辺）から対向して突出させた２枚の面状をした上下の取り付け片２６，２７（図７，８）から形成する。
【００１８】
すなわち、上取り付け片２６は、フレーム部２３との間及び取り付け片２６の中間にフレーム部２３の内周辺と平行にそれぞれ折り溝２８、２９が形成されており、取り付け片２６をこれら折り溝２８，２９に沿って折り曲げることで形成することができる。
取り付け部２６を、まず、折り溝２８に沿いフレーム部２３の面と直交する方向に折り曲げて水平部３０を形成し、さらに、折り溝２９に沿って今度は外周方向に折り曲げて、フレーム部２３の面と平行な平行部３１を形成する。これにより、水平部３０と平行部３１及びフレーム部２３とで前記の挟持部２４が形成される。
下取り付け片２７に関しても同様であり、挟持部２５が形成される。
【００１９】
ベース部材２１のフレーム部２３には、この例において、上下辺にそれぞれビス用のねじ孔３２、３３と、これに加えて、予備のねじ孔３４が４隅に形成されている。
前記のねじ孔３２，３３に関してはこれらに対応して、挟持部２４，２５の平行部３１にタッピング用の小孔３５（図８）が形成されている。タッピングビス３６（図５）に対してフレーム部２３のねじ孔３２，３３は、貫通孔であり、小孔３５はタッピング用である。したがって、フレーム部２３から挟持部２４，２５の平行部３１にねじ込むねじ（タッピングビス３６）により平行部３１をフレーム部２３側に引寄せて石膏ボード１４にベース部材２１を取り付けることができる。
【００２０】
予備のねじ孔３４は、挟持部２４，２５を利用してベース部材２１を取り付けられない場合に、ベース部材２１を直接、下地材へ取り付けることができるように準備されたものである。
なお、前記の点検口１８，１９は、この例において、上下辺の中央部からフレーム部２３のねじ孔３２，３３と対応する位置まで外周側へスリット３７を形成しておくと、タッピングビス３６をねじ込みやすい。
この実施例では、さらに、挟持部２４，２５の平行部３１の内面（フレーム部２３と対向する側）に滑り止め突起３８を多数形成してある。
【００２１】
化粧蓋２２は、一体の樹脂成形品であり、外形がベース部材２１よりも一回り大きく、室内側に露出する表面が平滑に形成されている。化粧蓋２２の裏面には係合爪３９が屋外側へ突出して４隅に形成されている（図５，６）。
各係合爪３９は、ベース部材２１の内周縁に係合する。したがって、点検口１８にベース部材２１を取り付けた後、化粧蓋２２を室内側からあてがって軽く押し込み、係合爪３９をベース部材２１の内周に係合させることで点検口１８を塞ぎ、かつ、化粧することができる。
【００２２】
以上、実施例について説明した。
接合金物はホールダウン金物に限らない。
点検口１８，１９の寸法は、適切な一例であり、変更することができる。
挟持部２４，２５は、上下に配置したが、左右でも良い。
ベース部材２１の素材を合成樹脂としたが、金属板からのプレス成形品とすることもできる。
【符号の説明】
【００２３】
１  基礎
２  土台
３  アンカーボルト
４  柱（左）
５  柱（右）
６  梁
７  筋交い
８  ホールダウン金物（左）
９  ホールダウン金物（右）
１０  角金物（左）
１１  角金物（右）
１２  床
１３  天井
１４  石膏ボード
１５  柱側部材
１６  引寄せボルト
１７  ナット
１８  点検口（左）
１９  点検口（右）
２０  点検口装置
２１  ベース部材
２２  化粧蓋
２３  フレーム部
２４  挟持部（上）
２５  挟持部（下）
２６  取り付け片（上）
２７  取り付け片（下）
２８  折り溝
２９  折り溝
３０  水平部
３１  平行部
３２  ねじ孔（上）
３３  ねじ孔（下）
３４  予備のねじ孔
３５  小孔
３６  タッピングビス
３７  スリット
３８  滑り止め突起
３９  係合爪
【図１】
2010168732.tif 000003
【図２】
2010168732.tif 000004
【図３】
2010168732.tif 000005
【図４】
2010168732.tif 000006
【図５】
2010168732.tif 000007
【図６】
2010168732.tif 000008
【図７】
2010168732.tif 000009
【図８】
2010168732.tif 000010